(57)【特許請求の範囲】
【請求項１】
交流電源からその交流電圧に対して遅れ位相の電流を供給し、集塵極と該集塵極に対向して配置された放電極との間に高電圧を印加して、それらの間を通過する気流に含まれるダストを捕集する電気集塵方法において、
前記集塵極と前記放電極との間で火花放電の発生が検出されるとき、前記火花放電の発生を示す検出信号が、前記交流電源の交流電圧のゼロクロス時点から前記電力制御素子のオンの直前までの間に発生した場合には、前記電力制御素子の駆動を一旦中断させずに通常の制御を行って荷電を続行し、
前記火花放電の発生を示す検出信号が、前記電力制御素子のオン時点から前記交流電源の交流電圧の次のゼロクロス時点までの間に発生した場合には、前記電力制御素子のオンを所定期間停止させて一旦荷電電圧を低下させることを特徴とする電気集塵方法。
【請求項２】
請求項１において、
前記電力制御素子の駆動信号がＬレベルのときに火花放電の発生を示す検出信号が発生した場合には、前記電力制御素子の駆動を一旦中断させずに通常の制御を行って荷電を続行し、
前記電力制御素子の駆動信号がＨレベルのときに火花放電の発生を示す検出信号が発生した場合には、前記電力制御素子の駆動を所定期間中断させて一旦荷電電圧を低下させることを特徴とする電気集塵方法。
【請求項３】
交流電源と、該交流電源からの交流電力を制御する電力制御素子と、限流リアクトルと、昇圧変圧器と、該昇圧変圧器からの高電圧交流電圧を整流して直流に変換する高電圧整流器とを備え、集塵極と該集塵極に対向して配置された放電極とを含む集塵部を通過する気流に含まれるダストを捕集する電気集塵装置において、
前記交流電源の電圧のゼロクロス点を検出するゼロクロス検出回路と、
前記電力制御素子の導通を制御する駆動信号を発生する位相制御回路と、
前記集塵極と前記放電極との間に火花放電が発生するとき火花放電検出信号を与える火花検出回路と、
前記位相制御回路が出力する前記駆動信号がＬレベルのときに火花放電の発生が検出された場合には、前記電力制御素子のオンを一旦停止させずに通常の制御を行って荷電を続行し、前記駆動信号がＨレベルのときに前記火花放電の発生が検出された場合には前記電力制御素子の駆動を所定期間中断させて一旦荷電電圧を低下させる荷電制御回路と、
を備えたことを特徴とする電気集塵装置。」
【発明の詳細な説明】
【０００１】
【産業上の利用分野】
本発明は、排ガスなど気流中のダストを補集する電気集塵機の制御装置及び制御方法に係り、特に火花放電の頻発による荷電電圧の低下を抑制し得る電気集塵装置に関する。
【０００２】
【従来の技術】
電気集塵においては、一般的に集塵電極と放電電極とからなる集塵部に印加される荷電電圧が高いとき集塵効率が高くなると言われており、このため集塵部の荷電電圧を火花放電が発生する寸前の高い電圧に維持できれば良いわけであるが、実際にはある程度の頻度にて火花放電が発生することを一つのパラメータとして、できるだけ火花放電が発生する電圧付近にて集塵部を荷電する時間が長くなるように、荷電電圧の制御が行われる。そして、火花放電が発生したときには集塵装置の荷電電圧が急速に低下する現象や、あるいは荷電電流が著しく増大する現象を捉えて集塵装置内部で発生する火花放電を検出し、火花放電が検出されたときには次のサイクルでの荷電を一旦停止して荷電電圧を低下させ、火花放電を消弧させることが行われている。
【０００３】
図６により具体的に従来例を説明すると、電気集塵装置は、商用交流電源３０と、その交流電圧を位相制御するための逆並列接続されたサイリスタなどからなる電力制御素子３１と、昇圧変圧器３２と、その２次側の交流電圧を整流する高電圧整流器３３と、集塵極と放電極とからなる集塵部３４と、荷電電圧検出手段３５と、その検出電圧信号と基準信号とを演算して誤差信号を出力する回路であって、検出電圧信号が基準値より低くなったとき出力が極性反転して火花放電の発生の可能性を示す信号を発生する荷電電圧判定回路３６と、集塵部３４を流れる電流を検出する電流検出手段３７と、その電流検出信号と基準信号とを演算して誤差信号を出力する回路であって、前記電流検出信号が基準値より低くなったとき出力が極性反転して、火花放電の発生の可能性を示す信号を発生する電流判定回路３８と、電力制御素子３１の位相制御を行う駆動信号を発生する位相制御回路３９とからなる。
【０００４】
次にこのような構成の電気集塵装置の動作を説明しながら、代表的な火花放電が発生したときの制御方法の一例について説明する。先ず、荷電電圧検出信号がその基準値よりも高いとき、また電流検出信号がその基準値よりも低いときには、それら信号により位相制御回路３９は電力制御素子３１に対して通常の位相制御を行う。荷電電圧検出信号がその基準値よりも低くなるとき、荷電電圧判定回路３６の出力信号は極性反転し、その出力信号は火花放電の発生の可能性を示す信号となる。また、電流検出信号がその基準値よりも高くなるときには、電流判定回路３８の出力信号は極性反転し、その出力信号は火花放電の発生の可能性を示す信号となる。そして、荷電電圧判定回路３６と電流判定回路３８の双方の出力信号の極性が反転すると、位相制御回路３９は火花放電が発生したものと判定して、所定の期間、典型的には半サイクルだけ駆動信号を出力するのを止め、これにより半サイクルだけ一旦荷電中断となる。これに伴い荷電電圧は低下し、火花放電を消弧して、アーク放電に移行するのを防いでいた。そして、半サイクルだけ荷電停止をした後、５０〜１００ｍｓ程度の時間ソフトスタートにて電圧上昇速度θにて荷電電圧を上昇させる再荷電を行い、火花放電発生時の荷電電圧よりもΔＶ低い電圧に復帰させ、その後、電圧上昇速度θにて荷電電圧を徐々に上昇させていた。
【０００５】
【発明が解決しようとする課題】
しかし、これまでの火花放電発生時の荷電制御は、火花放電からアーク放電への移行の可能性とは関係なく、火花放電の発生を検出したときには一様に荷電中断させて、荷電電圧を一旦ΔＶ降下させる火花制御を行っていた。そして、火花放電検出後の通常の荷電制御方法は、火花放電が発生した半サイクルの次の半サイクルでサイリスタの点弧を休止させて、その後は火花放電の再発および集塵部の静電容量への突入電流を防止するためソフトスタートにて荷電電圧を徐々に上昇させていた。
【０００６】
特に、高抵抗ダストを含む石炭ボイラの排ガスなど火花放電の多発し易い電気集塵においては、前述のように火花放電が発生する度に荷電中断による荷電電圧の低下と再荷電時にソフトスタートが繰り返されると、集塵装置の荷電電圧の平均値が低下し、かなり集塵効率が低下するという問題があった。本発明はこのような問題点を解決し、荷電電圧の低下を抑制して荷電効率を従来に比べて向上させることを課題とする。
【０００７】
【課題を解決するための手段】
前述の課題を解決するために、第１の発明は、交流電源からその交流電圧に対して遅れ位相の電流を供給し、集塵極と該集塵極に対向して配置された放電極との間に高電圧を印加して、それらの間を通過する気流に含まれるダストを捕集する電気集塵方法において、前記集塵極と前記放電極との間で火花放電の発生が検出されるとき、前記火花放電の発生を示す検出信号が、前記交流電源の交流電圧のゼロクロス時点から前記電力制御素子のオンの直前までの間に発生した場合には、前記電力制御素子の駆動を一旦中断させずに通常の制御を行って荷電を続行し、前記火花放電の発生を示す検出信号が、前記電力制御素子のオン時点から前記交流電源の交流電圧の次のゼロクロス時点までの間に発生した場合には、前記電力制御素子のオンを所定期間停止させて一旦荷電電圧を低下させることを特徴とする電気集塵方法を提供するものである。
【０００８】
前述の課題を解決するために、第２の発明は、前記第１の発明において、前記電力制御素子の駆動信号がＬレベルのときに火花放電の発生を示す検出信号が発生した場合には、前記電力制御素子の駆動を一旦中断させずに通常の制御を行って荷電を続行し、前記電力制御素子の駆動信号がＨレベルのときに火花放電の発生を示す検出信号が発生した場合には、前記電力制御素子の駆動を所定期間中断させて一旦荷電電圧を低下させることを特徴とする電気集塵方法を提供するものである。
【０００９】
前述の課題を解決するために、第３の発明は、交流電源と、該交流電源からの交流電力を制御する電力制御素子と、限流リアクトルと、昇圧変圧器と、該昇圧変圧器からの高電圧交流電圧を整流して直流に変換する高電圧整流器とを備え、集塵極と該集塵極に対向して配置された放電極とを含む集塵部を通過する気流に含まれるダストを捕集する電気集塵装置において、前記交流電源の電圧のゼロクロス点を検出するゼロクロス検出回路と、前記電力制御素子の導通を制御する駆動信号を発生する位相制御回路と、前記集塵極と前記放電極との間に火花放電が発生するとき火花放電検出信号を与える火花検出回路と、前記位相制御回路が出力する前記駆動信号がＬレベルのときに火花放電の発生が検出された場合には、前記電力制御素子のオンを一旦停止させずに通常の制御を行って荷電を続行し、前記駆動信号がＨレベルのときに前記火花放電の発生が検出された場合には前記電力制御素子の駆動を所定期間中断させて一旦荷電電圧を低下させる荷電制御回路とを備えたことを特徴とする電気集塵装置を提供するものである。
【００１１】
【発明の実施の形態】
先ずこの発明を説明するに当たって、発明に至る考え方について説明する。（１）この発明は、アーク放電に移行しない火花放電が存在すればそのような火花放電については荷電停止や、その後のソフトスタートなどの火花制御を行う必要は無いはずであるという考え方から出発している。（２）したがって、先ず発生した火花放電がそのままの荷電状態を続けてもアーク放電に移行しないものがあるか否かを種々の実験から確認した。（３）その結果、発生した火花放電がそのままの荷電状態を続けてもアーク放電に移行しないアーク放電が存在し、少なくとも交流電源の交流電圧のゼロクロス時点近傍から電力制御素子のオンまでの間、つまり駆動信号が供給されていない期間に発生したものはこのようなアーク放電に移行しない火花放電であることを確認した。
【００１２】
駆動信号が供給されておらず、交流電源の電圧の瞬時値がゼロクロス点又はその近傍まで低下しているときは、負荷側の集塵部において火花放電が発生しても電源電圧の瞬時値がゼロまで低下しているので、電源側から継続したエネルギ−の供給はできない。このことから、ゼロクロス点又はその近傍から電力制御素子の次のターンオンタイミングまでの間で発生した火花放電はアーク放電に移行する可能性が無いと言える。
【００１３】
したがって、本発明は集塵極と放電極との間で火花放電が発生するとき、その火花放電の発生時点に従って選択的に、そのまま前記電力制御素子の駆動を継続させて荷電電圧を低下させる制御は行わず、あるいは前記電力制御素子の駆動を所定期間中断させて一旦荷電電圧を低下させる制御を行う電気集塵方法である。
【００１４】
具体的には、本発明は集塵極と放電極を備える集塵部において発生する火花放電を検出し、その火花放電の発生が電力源となる交流電源の交流電圧の極性が変わる点、つまりゼロクロス点の近傍から逆並列接続したサイリスタのような電力制御素子のオン時点までの間に発生した場合、即ち電力制御素子の駆動信号が供給されていない期間に火花放電が発生しても、前記電力制御素子の駆動を一旦中断させずに通常の制御を行って荷電を続行するものである。そして、前記火花放電の発生が前記電力制御素子のオン時点から前記交流電源の交流電圧の次のゼロクロス時点までの間、つまり前記駆動信号が電力制御素子に供給されている期間に発生した場合には、従来と同様に前記電力制御素子の駆動を所定期間、例えば半サイクル中断させて一旦荷電電圧を低下させ、しかる後に再び前記電力制御素子をオンさせて荷電電圧を上昇させる。
【００１５】
更に具体的には、前記電力制御素子の駆動信号を利用し、その駆動信号が発生している期間で発生した火花放電はアーク放電に移行する火花放電とし、前記駆動信号が発生していない期間で発生した火花放電はアーク放電に移行しない火花放電とする。そして、火花検出信号（火花放電が検出されたときＨレベル）がＨレベルであり、かつ前記駆動信号がＨレベルのときだけ通常の火花制御（火花検出後の荷電停止、ソフトスタートによる再荷電）を行う。火花検出信号がＨレベルであり、かつ前記駆動信号がＬレベルのときは荷電中断を行わず、そのまま通常の荷電制御を続行する。このような新しい荷電制御を行う電気集塵方法により、集塵効率を向上させることができる。
【００１６】
【実施例】
図１及び図２により、本発明の実施例について説明する。先ず、図１において、１は商用の交流電源、２は荷電制御盤、３は整流変圧回路、及び４は集塵電極と放電電極を備える集塵部である。荷電制御盤２は、交流電源１の電圧を検出する同期検出用変圧器５、逆並列接続されたサイリスタ又はＩＧＢＴなどからなる電力制御素子６、交流電源１の交流電圧のゼロクロス点を検出する通常の構成のゼロクロス検出回路７、ゼロクロス検出回路７を含み、電力制御素子６のオン、オフを制御する位相制御回路８、荷電制御回路９、火花検出回路１０、その外に定電流制御回路、定電圧制御回路などを備えるがこれらについては図示するのを省略する。
【００１７】
荷電制御回路９は、火花放電の発生が検出されるとき所定の電圧値だけ荷電電圧を下げる信号を出力する火花制御回路１１、アーク放電に移行する可能性がある火花放電が検出されたときのみ、予め決めた所定の期間だけ、例えば半サイクルだけ荷電を中断して荷電電圧を一旦低下させ、荷電中断後は電力制御素子６の導通角を徐々に大きくして行くソフトスタート制御する荷電中断・ソフトスタート回路１２、後述するように位相制御回路８における駆動信号と火花検出回路１０からの火花放電検出信号とをＡＮＤ論理してアーク放電に移行する可能性が高い火花放電検出信号だけを荷電中断・ソフトスタート回路１２に通過させるＡＮＤ回路１４などを備える。
【００１８】
火花検出回路１０は、荷電電圧検出信号と基準電圧源１５の基準電圧とを比較する第１の比較器１６、集塵部４に流れる電流の検出信号と基準電流源１７の基準値とを比較する第２の比較器１８、比較器１６と１８の出力信号をＡＮＤ論理するＡＮＤ論理回路１９からなり、荷電電圧検出信号がその基準電圧よりも小さく、かつ電流検出信号がその基準値よりも大きい場合に火花放電検出信号を出力する。
【００１９】
整流変圧回路３は、限流リアクトル２０、限流リアクトル２０に１次巻線が接続された昇圧変圧器２１、昇圧変圧器２１の２次巻線に接続された高電圧整流器２２、放電電極と接地間の電圧を分圧する分圧抵抗器２３、２４、及び集塵部４と高電圧整流器２２との間に直列に接続されたシャント抵抗器２５からなる。この実施例の回路では、限流リアクトル２０は荷電電圧のリプル分の抑制と、短絡時の過電流を抑制するために設けられており、通常は昇圧変圧器２１の短絡インピーダンスと合わせて３０〜５０％程度の％インダクタンスを持つように設定されている。このため、図２に示すように集塵部４の荷電電流波形は交流電源１の交流電圧波形に対して遅れ位相となる。本発明は、荷電電流が交流電源１の交流電圧に対して位相が遅れることを一つの条件として利用する。
【００２０】
次に、このように構成された電気集塵装置の動作について説明する。荷電制御盤２の同期検出用変圧器５は交流電源１の交流電圧と同期した電圧を検出してゼロクロス検出回路７を含む位相制御回路８に送る。ゼロクロス検出回路７はこの電圧から交流電源１のゼロクロス点を検出してゼロクロス検出信号（Ｄ）を発生すると共に、荷電制御回路８からの制御信号に従ってゼロクロス時点を起点として電力制御素子６に点弧信号（Ｃ）を送出する。電力制御素子６により位相制御された交流電圧が整流変圧回路３に入力される。整流変圧回路３に加えられた交流電圧は昇圧変圧器２１により昇圧され、高電圧整流器２２により全波整流されて集塵部４に供給される。
【００２１】
ここで位相制御回路８は図３に示すような回路構成になっており、次のように動作する。同期検出用変圧器５からの交流電圧は全波整流回路Ｒｅで整流され、その整流電圧は抵抗器Ｒ１とＲ２で分割される。分割された整流電圧は第１の比較器ＣＭ１で０Ｖよりも若干高い電圧に設定された基準電圧源Ｐａの基準電圧と比較され、比較器ＣＭ１は前記分割された電圧がゼロになる度に図３（Ｄ）に示すようなゼロクロス検出信号（Ｄ）を発生する。一方、コンデンサＣ１は抵抗器Ｒ５を通して直流電源Ｐｂから流れる電流で充電され、その両端の電圧はほぼ直線的に増大する。比較器ＣＭ１の出力に前記ゼロクロス検出信号（Ｄ）が現出すると、その度に抵抗器Ｒ３とＲ４を通してトランジスタＴｒ１が順バイアスされてオンし、コンデンサＣ１をほぼゼロまで放電する。したがって、第２の比較器ＣＭ２の一方の入力端子には図３（Ａ）に示す鋸歯状波信号（Ａ１）が入力され、他方の入力端子には荷電制御回路９からの制御信号（Ａ２）が入力される。制御信号（Ａ２）は、火花制御回路１１の出力信号、荷電中断・ソフトスタート回路１２の出力信号、図示していない定電流制御回路や定電圧制御回路などの出力信号を合成したものからなり、それら出力信号により変化する。
【００２２】
第２の比較器ＣＭ２は、図３（Ａ）に示す鋸歯状波信号（Ａ１）と制御信号（Ａ２）とを比較し、鋸歯状波信号（Ａ１）が制御信号（Ａ２）よりも大きな期間でＨレベルの駆動信号（Ｂ）を発生する。この駆動信号（Ｂ）は図２及び図４で示すように、電源電圧波形（ａ）のゼロクロス点から次の電力制御素子６のオン時点までの間がＬレベルであり、ほぼ電力制御素子６のオン時点から次の電源電圧波形（ａ）のゼロクロス点までの間がＨレベルである。また、この実施例では電力制御素子６がサイリスタであるので、駆動信号（Ｂ）はコンデンサＣ２及び抵抗器Ｒ６、Ｒ７で微分され、トランジスタＴｒ２と抵抗器Ｒ８を通して急峻な波形の点弧信号Ｃに変換される。しかし、電力制御素子６がＩＧＢＴ、あるいはＭＯＳＦＥＴなどの場合には駆動信号（Ｂ）がそのままオン、オフ駆動に利用される。
【００２３】
今、図２に示すように時刻ｔ１で比較的大きな火花放電が発生したとする。火花放電の発生に伴い、荷電電圧の急激な低下や荷電電流の急激な増加をもたらし、この変化により火花検出回路１０はＨレベルの火花放電検出信号を出力する。しかし、この時刻ｔ１では駆動信号（Ｂ）はＬレベルとなっているのでＡＮＤ論理回路１４の出力はＬレベルのままとなり、荷電中断・ソフトスタート回路１２に荷電中断すための信号を送出しない。したがって、この期間に発生した火花放電はアーク放電に移行しないものとして、電力制御素子６の駆動を中断すること無くそのまま継続される。
【００２４】
次に図２に示すように、駆動信号（Ｂ）がＨレベルである時刻ｔ２にて火花放電が発生したとすると、ＡＮＤ論理回路１４の一方の入力である駆動信号（Ｂ）はＨレベルで、他方の入力である火花放電検出信号もＨレベルであるので、ＡＮＤ論理回路１４の出力信号はＨレベルである。この場合にはＡＮＤ論理回路１４から荷電中断・ソフトスタート回路１２に信号が送出され、荷電中断・ソフトスタート回路１２は従来と同様に所定の期間、例えば半サイクルだけ駆動信号（Ｂ）が供給されるのを禁止し、その所定の期間の経過後はソフトスタートモードで動作するよう指令を位相制御回路８へ与える。これに伴い、位相制御回路８は火花放電が検出された直後の半サイクルだけ駆動信号（Ｂ）を電力制御素子６に与えるのを中断し、しかる後には従来と同様に所定の小さなパルス幅から徐々にパルス幅の大きくなる駆動信号（Ｂ）を電力制御素子６に供給し、再荷電が行われる。
【００２５】
なお、この実施例では火花放電の発生の際には駆動信号（Ｂ）のある無しには関係なく火花検出回路１０から火花制御回路１１に火花検出信号が送られ、火花制御回路１１は荷電電圧を予め決めた設定電圧値だけ降下させ、その後所定の傾斜で上昇させる所定の荷電電圧制御を行う。
【００２６】
次に図５に示す実施例は、駆動信号（Ｂ）がＬレベルの期間に火花放電が発生した場合には、前述のようにその火花放電はアーク放電に移行しないものであるので、火花制御回路１１の火花制御機能を禁止するものであり、図１の回路においてＡＮＤ論理回路１９の出力ではなく、ＡＮＤ論理回路１４の出力を火花制御回路１１の入力とする構成である。この回路構成では、駆動信号（Ｂ）がＬレベルで、火花放電検出信号がＨレベルのときだけ、ＡＮＤ論理回路１４の出力がＬレベルになり、この期間だけ火花制御回路１１は動作せず、火花制御を行わない。したがって、火花放電が発生してもこの期間では、火花制御回路１１は荷電電圧を予め決めた設定電圧値だけ降下させたり、その後所定の傾斜で上昇させる所定の荷電電圧制御を行わない。この実施例ではアーク放電に移行する可能性の無い火花放電が発生しても荷電電圧を予め決めた設定電圧値だけ降下させることがないから、さらに集塵効率を向上させることができるが、火花放電発生時に荷電電圧を予め決めた設定電圧値だけ降下させなくともアーク放電に移行する確率が低い条件の場合に適用される。
【００２７】
なお、以上の実施例では電力制御素子の駆動信号をそのまま判別するための信号として用いたが、駆動信号と逆位相の信号を火花判別信号として形成し、その火花判別信号の発生している期間、つまり電源交流電圧のゼロクロス点から次の駆動信号が発生するまでの期間では、火花放電が発生してもアーク放電に移行する確率は十分に小さい安全期間とし、電力制御素子のオン駆動をそのまま継続しても良い。
【００２８】
【発明の効果】
以上述べたように、本発明ではアーク放電に移行する可能性のある火花放電のみ従来と同様に荷電中断し、アーク放電に移行する可能性のない火花放電については荷電をそのまま続行するので、火花放電の多発時にも荷電電圧の低下を防止できるので集塵効率の低下を抑制できる。また、実現手段としては電源装置が既に備えている手段の組み合わせにより容易に実現できるので、コストアップになることは無い。
【図面の簡単な説明】
【図１】  本発明に係る電気集塵装置の火花制御装置の一実施例を示す。
【図２】  本発明に係る電気集塵装置の火花制御に係る信号波形を示す。
【図３】  本発明に係る電気集塵装置に用いられる位相制御回路の一実施例を示す。
【図４】  本発明に係る電気集塵装置の火花制御に係る信号波形を示す。
【図５】  本発明に係る電気集塵装置の火花制御装置の他の一実施例を示す。
【図６】  従来の電気集塵装置の火花検出装置の一例を示す。
【符号の説明】
１・・交流電源                      ２・・荷電制御盤
３・・整流変圧回路                  ４・・集塵部
５・・同期検出用変圧器              ６・・電力制御素子
７・・ゼロクロス検出回路            ８・・位相制御回路
９・・荷電制御回路                １０・・火花検出回路
１１・・火花制御回路                １２・・荷電中断・ソフトスタート回路
【図１】
0003636655.tif 000002
【図２】
0003636655.tif 000003
【図３】
0003636655.tif 000004
【図４】
0003636655.tif 000005
【図５】
0003636655.tif 000006
【図６】
0003636655.tif 000007